(57)【特許請求の範囲】
【請求項１】
一面に多数設けられた音放出用の音孔と、外周縁に所定の角度で傾くように一体に設けられたテンション部とを有するプロテクターと、内周面に前記プロテクターの離脱を防止するために設けられる係止突起と、内周面に直角を成す段部とを有するフレームと、前記段部に縁部が安置され、音圧による振動によって音響を発生するダイアフラムと、前記ダイアフラムの下面に取り付けられ、印加される音声電流によって振動するボイスコイルと、前記ボイスコイル内側の上部にトッププレートが備えられ、トッププレートの下面と前記フレームとの間に固着され、所定大きさの磁場を発生するマグネットとから構成されたことを特徴とする携帯電話用小型スピーカ。
【請求項２】
前記フレームの段部から上方に折曲形成される内周面に、前記プロテクターのテンション部の一端を係止するための歯溝が設けられたことを特徴とする請求項１記載の携帯電話用小型スピーカ。
【請求項３】
前記テンション部は、ダイアフラムの縁部を加圧密着させるための所定幅の加圧面を有することを特徴とする請求項１記載の携帯電話用小型スピーカ。
【請求項４】
前記加圧面には所定の幅を有する凸凹が設けられたことを特徴とする請求項３記載の携帯電話用小型スピーカ。
【請求項５】
一面に音放出のための音孔が多数設けられ、外周面の下端に円周方向の内方に保持延長部が設けられ、周縁部の下面に加圧部が垂下するように設けられたプロテクターと、前記保持延長部に周縁部が支持されるために内周面と直角を成す段部を有するフレームと、前記段部の上面に縁部が安置し、音圧による振動によって音響を発生するダイアフラムと、前記ダイアフラムの下面に取り付けられ、印加される音声電流によって振動するボイスコイルと、前記ボイスコイル内側の上部にトッププレートが備えられ、トッププレートの下面と前記フレームとの間に固着され、所定大きさの磁場を発生するマグネットとから構成されることを特徴とする携帯電話用小型スピーカ。
【発明の詳細な説明】
【０００１】
【発明の属する技術分野】
本発明は携帯電話用小型スピーカに係り、さらに詳しくは組立し難い小型スピーカのフレームに対するダイアフラムやプロテクターの組立を無接着で可能にして、組立生産性を向上させると共に、組立によるスピーカの共振周波数を最低に低めて音圧の安定化を図るようにしたものである。
【０００２】
【従来の技術】
一般に、携帯電話（セルラー電話またはＰＨＳ）などの各種移動通信端末機内に装着され、着信音を発生させるスピーカは、機器の小型化の趨勢に伴って小型に製作され設置される。
【０００３】
このようなスピーカは、電流の流れる導体が磁界中にあれば力を受けるというフレーミングの左手の法則に基づき、空隙間のボイスコイルによって電気的エネルギーを機械的エネルギーに変換させるもので、即ち、様々な周波数を含んだ電流信号がボイスコイルに印加されると、ボイスコイルは電流の強さと周波数の大きさに応じて機械的エネルギーを発生させ、ボイスコイルに付着されているダイアフラムを振動させることにより、究極的に人間の耳で認知可能な所定の大きさを有する音圧を発生させる。
【０００４】
通常、このような音圧のうち比較的低い音圧を発生させるものであって、人間の耳に近く密着させて使用するものをレシーバといい、これと異なり相対的に音圧が高く且つ人間の耳から所定の距離を置いて使用するものをスピーカという。
【０００５】
このようなスピーカの磁気回路は、鉄金属成分でできたヨーク内にマグネット（永久磁石）とトッププレートを用いて空隙内に存在するボイスコイルに直角に磁束が鎖交するように設計されている。
【０００６】
ここでボイスコイルはダイアフラムに接着されており、入力信号によって上下に加振力を発生し、フレームに接着拘束されているダイアフラムを振動させることにより音圧を発生させる。ダイアフラムは上下振動の際に優れた応答性と座屈現象を除去するために様々な形状のウェーブを有し、このようなダイアフラムの形状は周波数特性に最も大きい影響を与える設計変数として作用する。
【０００７】
スピーカは長い間その構造には大きな変化がなかったが、最近に入り、高エネルギー永久磁石の常用化、微小構造物の成型技術の発達、及び情報通信分野における小型軽量化の趨勢に伴って持続的な小型軽量化及び高性能化が実現されている。
【０００８】
特に、移動通信端末機の小型化は、機械的動特性を有するレシーバ、スピーカ、ブザー及び振動子などの部品の小型化に左右されるものと言っても過言ではない。これを満足させるために前記の機械的な部品を一体化しようとする研究開発が活発に行われている。
【０００９】
今までの移動通信端末機では、呼出音を発生させるために殆どブザーを使用してきたが、ユーザの便宜、嗜好及び好み変化などによって様々な呼出音の発生が求められ、近年では周波数特性に優れたスピーカが用いられるようになっている。
【００１０】
従来の小型スピーカは、移動通信端末機に装着されるときに別個の部品で別の位置に装着されていた。しかし、最近ではスピーカを振動モータとも一体にしている。
【００１１】
従来の小型スピーカの分解斜視図［図１］とその結合断面図［図２］に示すように、スピーカ部は、音を放出するための複数の音孔２ａ付きプロテクター２と、音圧による振動によって音響を発生するダイアフラム５と、ダイアフラム５の下面に取り付けられ、印加される音声電流によって振動するボイスコイル６と、ボイスコイル６及びダイアフラム５を収容し、上部にプロテクター２の結合を許容するフレーム１とから構成される。
【００１２】
フレーム１は、ダイアフラム５の縁部を安置させるための段部１ａが設けられ、段部１ａと直角を成すフレーム１の内周面１ｂにはダイアフラム５とプロテクター２を収容できるようになっている。
【００１３】
プロテクター２の下部外周は、内周面１ｂに強圧的に案内されるようになっており、また、内周面１ｂに密着されるようにリム部２ｂが設けられた構造をしている。
【００１４】
次に、このような従来の小型スピーカの結合状態について説明する。ダイアフラム５の縁部が安置されるフレーム１内の段部１ａに、所定量の接着剤を塗布した状態でボイスコイル６付きダイアフラム５の縁部底面を付着させ、付着済みの状態では内周面１ｂにプロテクター２を強圧的に結合させることによってスピーカの組み立てをおこなっていた。なお、図１の「Ａ」は接着剤が塗布される空間を示している。
【００１５】
しかし、従来の小型スピーカのフレームにダイアフラムを付着させるための接着剤の塗布作業は、その外径が１０ｍｍ前後のフレーム内へのボンディング作業であるため非常に難しく、これに結合されるプロテクターの組み立ての際、前記ダイアフラムをボンディングする接着剤によって、フレーム内に挿設されるプロテクターを固定してしまうという短所があった。
【００１６】
また、前記ボンディング作業によって組み立てられる従来の小型スピーカは、接着剤の塗布位置と塗布量がスピーカの特性に大きい影響を及ぼすという問題点もあった。
【００１７】
即ち、接着剤の影響によって、スピーカから発生する音圧において、最低共振周波数が８００〜１１００Ｈｚ程度と高く、また高音部の音圧が一定でなく不規則となるので、製品に適用し難いという問題点があった（図９参照）。
【００１８】
更に、このような接着剤を用いてダイアフラムを固定する際には接着剤を均一に塗布しなけらばらないため、小型スピーカの組立生産性が低下するという問題点があった。
【００１９】
【発明が解決しようとする課題】
本発明はかかる問題点を解決するためのものであり、その目的は小型スピーカの構成要素であるフレームにダイアフラム、プロテクターを無接着で簡単に組み立てできるようにし、組み立てに影響されるスピーカの一特性である共振周波数を最低に低め、かつ音圧を安定化することのできる小型スピーカを提供することにある。
【００２０】
【課題を解決するための手段】
上記目的を達成するため本発明の携帯電話用小型スピーカは、一面に多数設けられた音放出用の音孔と、外周縁に所定の角度で傾くように一体に設けられたテンション部とを有するプロテクターと、内周面に前記プロテクターの離脱を防止するために設けられる係止突起と、内周面と直角を成す段部とを有するフレームと、前記段部に縁部が安置され、音圧による振動によって音響を発生するダイアフラムと、前記ダイアフラムの下面に取り付けられ、印加される音声電流によって振動するボイスコイルと、前記ボイスコイル内側の上部にトッププレートが備えられ、トッププレートの下面と前記フレームとの間に固着され、所定大きさの磁場を発生するマグネットとから構成されたことを特徴とする。
【００２２】
また、他の目的を達成するための本発明の携帯電話用小型スピーカは、一面に音放出のための音孔が多数設けられ、外周面の下端に円周方向の内方に保持延長部が設けられ、周縁部の下面に加圧部が垂下するように設けられたプロテクターと、前記保持延長部に周縁部が支持されるために内周面と直角を成す段部を有するフレームと、前記段部の上面に縁部が安置し、音圧による振動によって音響を発生するダイアフラムと、前記ダイアフラムの下面に取り付けられ、印加される音声電流によって振動するボイスコイルと、前記ボイスコイル内側の上部にトッププレートが備えられ、トッププレートの下面と前記フレームとの間に固着され、所定大きさの磁場を発生するマグネットとから構成されることを特徴とする。
【００２３】
【発明の実施の形態】
以下、添付図に基づいて本発明を詳しく説明する。
【００２４】
図３は本発明の小型スピーカの要部を切開した状態の分解斜視図、図４は本発明に係る小型スピーカが結合された状態の縦断面図である。
【００２５】
携帯用移動通信端末機は、基地局または中継局から受信された音声及びデータ信号の受信状態を表わすために小型スピーカを介して所定の音圧を出力するが、本発明に係る小型スピーカは次のように組み立てられる。
【００２６】
まず、所定の磁場を形成させるマグネット６０及びトッププレート５０がフレーム２０内のヨーク（図示せず）に設けられる。その後、下面に設けられると共に印加される音声電流によって振動するボイスコイルによって音響を発生させるダイアフラム３０がマグネット６０及びトッププレート５０から所定の間隔を置いてフレーム２０の内側段部２２上に安置される。
【００２７】
ダイアフラム３０が段部２２に安置された状態で、プロテクター１０の縁部、即ちテンション部１２はフレーム２０の内周面に結合される構造となっている。ここで、テンション部１２は一端がフレーム２０の内周面の上端に多数設けられた係止突起２１に係止されて組み立てられる。テンション部１２の折り曲げられた一面は、所定の幅を有する加圧面１３を形成することが好ましい。加圧面１３は、段部２２上に安置されるダイアフラム３０の縁部上面を加圧する構造であって、ダイアフラム３０を無接着で支持できるようにする。
【００２８】
さらに、加圧面１３に所定の幅を有する凸凹を形成することにより、ダイアフラム３０の縁部上面において加圧面１３が滑ることなく加圧を行える構造にしてもよい。ここで、密着性のために加圧面１３に形成される凸凹の形状はこれに局限されない。
【００２９】
そして、図５に示すように、本発明の他の一実施例として、フレーム２０の段部２２から上方に折曲形成される部分の内周面に、プロテクター１０のテンション部１２の一端を係止するための歯溝１８を形成してプロテクター１０を装着状態で支持することもできる。
【００３０】
一方、図６に示す参考例の小型スピーカは、上面に音放出用の音孔１１が多数設けられ、外周縁にフランジ１４が一体に設けられ、段差延長部１４から下方に折曲形成されて内方にコッキング処理されるためのコッキング部１５が設けられたプロテクター１０と、コッキング部１５の折曲で固定されるための所定幅の段部２２が底面から垂直に設けられた部分の終端に直角となるように一体に設けられたフレーム２０と、段部２２の上面に安置され、音圧による振動によって音響を発生するダイアフラム３０と、ダイアフラム３０の下面に取り付けられ、印加される音声電流によって振動するボイスコイル４０と、ボイスコイル４０内側の上部にトッププレート５０が備えられ、トッププレート５０の下面とフレームとの間に固着され、所定大きさの磁場を発生するマグネット６０とから組み立てられて構成される。
【００３１】
図６は、初期にはプロテクター１０の外周の段差延長部１４から下方に垂直折曲されると共に段差延長部１４の内側がフレーム２０上の段部に安置されたダイアフラム３０の縁部を覆っている状態で、コッキング部１５を図６の矢印方向に折り曲げることにより、プロテクター１０がダイアフラムと共にフレーム２０に結合される構造を示している。この参考例によれば、ダイアフラム３０及びプロテクター１０は、従来のスピーカの如く接着剤を使用することなく強固に、かつ、簡単に組み立てることができる。
【００３２】
一方、図７は本発明のさらに他の一実施例を示すものである。図７の小型スピーカは、上面に音放出用の音孔１１が多数設けられ、外周面の下端に円周方向の内方に保持延長部１６が設けられ、下面に円柱状の加圧部１７が垂下するように設けられたプロテクター１０と、保持延長部１６によって支持されるために内周面と直角を成す段部２２を有するフレーム２０と、段部２２の内側上面に縁部が安置され、音圧による振動によって音響を発生するダイアフラム３０と、ダイアフラム３０の下面に取り付けられ、印加される音声電流によって振動するボイスコイル４０と、ボイスコイル４０内側の上部にトッププレート５０が備えられ、トッププレート５０の下面とフレーム２０との間に固着され、所定大きさの磁場を発生するマグネット６０とから組み立てられて構成される。
【００３３】
本実施例では、円柱状の加圧部１７の下端と保持延長部１６の内側端とのギャップを、フレーム２０の段部２２上に安置されるダイアフラム３０の縁部の厚さと段部を有するフレーム２０の厚さとを合わせた厚さより小さくし、保持延長部１６が段部２２の下部側に対して強圧的に係止され得る構造とし、加圧部１７は相対的にダイアフラム３０の縁部上面を加圧して段部２２に堅く密着され得るように組み立てることにより、小型スピーカを完成することができる。
【００３４】
加圧部１７は段部２２に安置されるダイアフラム３０を加圧支持する構造であって、上述したようにダイアフラム３０の無接着によって組み立てることができる。
【００３５】
このように無接着式で組み立てられる携帯電話用小型スピーカは、接着剤を使用することなく強固に、かつ、簡単に組み立てることができるため、組立生産性を大幅に向上させることができ、小型スピーカの特性をそのまま生かしながら製品の不良を最小化することができるという利点がある。
【００３６】
また、無接着式によるダイアフラム３０の固定方式によれば、特に小型スピーカの固有特性である高音部の音圧を一定にし、図８のグラフに示すように、最低共振周波数を６００〜８００Ｈｚ程度に低めることができ、より安定した音声及び音響の出力を得ることができるという利点がある。
【００３７】
なお、本発明は上述した実施例に限定されず、本発明の要旨を逸脱しない範囲で種々変更できることは勿論である。
【００３８】
【発明の効果】
以上説明しように、本発明の携帯電話用小型スピーカは、フレームに接着剤を塗布して設置していたダイアフラムを無接着式でプロテクター自体を用いてフレームに強固に固定することにより、接着剤を使用した従来の小型スピーカの組立方式で発生していた高い共振周波数を著しく低めることができるとともに、不規則な高音部の音圧を一定にして不良率を最小化することができる。さらにスピーカの組み立てを簡単化することによって生産性を著しく向上させることができるという効果がある。
【図面の簡単な説明】
【図１】従来の小型スピーカの要部を切開した状態の分解斜視図である。
【図２】従来の小型スピーカが結合された状態の縦断面図である。
【図３】本発明に係る小型スピーカの要部を切開した状態の分解斜視図である。
【図４】本発明に係る小型スピーカが結合された状態の縦断面図である。
【図５】本発明に係るプロテクターを装着するためのフレームの一実施例を示す部分断面図である。
【図６】参考例に係る小型スピーカのダイアフラム及びプロテクタの結合状態を示す縦断面図である。
【図７】本発明のさらに他の実施例に係る小型スピーカのダイアフラム及びプロテクタの結合状態を示す縦断面図である。
【図８】本発明に係るスピーカの共振周波数を示すグラフである。
【図９】従来の技術に係るスピーカの共振周波数を示すグラフである。
【符号の説明】
１０  プロテクター
１１  音孔
１２  テンション部
１３  加圧面
２０  フレーム
２１  係止突起
２２  段部
３０  ダイアフラム
４０  ボイスコイル
５０  トッププレート
６０  マグネット
【図１】
0003621062.tif 000002
【図２】
0003621062.tif 000003
【図３】
0003621062.tif 000004
【図４】
0003621062.tif 000005
【図５】
0003621062.tif 000006
【図６】
0003621062.tif 000007
【図７】
0003621062.tif 000008
【図８】
0003621062.tif 000009
【図９】
0003621062.tif 000010